(57)【要約】      （修正有）【課題】使い捨ておむつと併用するにあたり使い勝手の良い吸収性物品を提供する。【解決手段】本発明の吸収性物品１００は，前身頃と，後身頃と，これらの間に位置する股下部とに長手方向に区分され，股下部に幅狭となったくびれ部が形成され，前身頃と後身頃の両方又はいずれか一方にくびれ部よりも幅広となったサイドフラップ１０，２０が形成されており、吸収性物品１００は，サイドフラップ１０，２０の裏面に係合手段４０が取り付けられており，サイドフラップ１０，２０を裏面側に向かって折り返したときに，係合手段４０が吸収性物品の裏面に係合する。【選択図】図２
2015173819.tif 000002
【特許請求の範囲】
【請求項１】
前身頃（１）と，後身頃（２）と，前記前身頃（１）と前記後身頃（２）の間に位置する股下部（３）とに，長手方向に区分され，
前記股下部（３）に，幅狭となったくびれ部（３０）が形成され，
前記前身頃（１）と前記後身頃（２）の両方又はいずれか一方に，前記くびれ部（３０）よりも幅広となったサイドフラップ（１０，２０）が形成された
吸収性物品であって，
前記サイドフラップ（１０，２０）の裏面に，係合手段（４０）が取り付けられており，
前記サイドフラップ（１０，２０）を裏面側に向かって折り返したときに，前記係合手段（４０）が，前記吸収性物品の裏面に係合する
吸収性物品。
【請求項２】
前記吸収性物品は，
吸収体（５１）と，
前記吸収体（５１）の表面側に位置する液透過性のトップシート（５２）と，
前記吸収体（５１）の裏面側に位置する液不透過性のバックシート（５３）と，を備え，
前記吸収体（５１）よりも幅方向外側に延出した左右の延出部（５４）を有しており，
前記係合手段（４０）は，前記サイドフラップ（１０，２０）を形成する前記左右の延出部（５４）の裏面に取り付けられている
請求項１に記載の吸収性物品。
【請求項３】
前記吸収性物品は，
前記サイドフラップ（１０，２０）を形成する前記左右の延出部（５４）に固定部分を有し，当該固定部分よりも幅方向内側の自由部分が起立する一対の立体ギャザー（５５）を，さらに備える
請求項２に記載の吸収性物品。
【請求項４】
前記サイドフラップ（１０，２０）の裏面には，前記係合手段（４０）が前記長手方向に間隔をおいて複数個取り付けられている
請求項２又は請求項３に記載の吸収性物品。
【請求項５】
前記係合手段（４０）は粘着テープであり，
前記係合手段（４０）の粘着面は剥離シート（４１）によって被覆されており，
前記剥離シート（４１）は，幅方向に沿って切断可能線（４２）が形成されている
請求項２又は請求項３に記載の吸収性物品。
【請求項６】
前記吸収性物品は，前記吸収体（５１）よりも長手方向外側に延出した前後の延出部（５６）を有しており，
前記前後の延出部（５６）の裏面に，前記係合手段（４０）が取り付けられている
請求項１から請求項のいずれかに記載の吸収性物品。
【請求項７】
前記サイドフラップ（１０，２０）には，前記トップシート（５２）と前記バックシート（５３）の間に，前記吸収体（５１）から幅方向に離間したサブ吸収体（５８）が配置されている
請求項１から請求項６のいずれかに記載の吸収性物品。
【発明の詳細な説明】
【技術分野】
【０００１】
本発明は，例えば使い捨ておむつと併用して用いられる吸収性物品に関する。本発明のような吸収性物品は，吸収性パッドや尿パッドとも呼ばれる。具体的に説明すると，本発明は，例えば使い捨ておむつの液体吸収能力やクッション性を高めることを目的として，使い捨ておむつに重ねて配置される吸収性物品に関するものである。
【背景技術】
【０００２】
従来から，使い捨ておむつと併用して用いられる吸収性パッドが知られている（例えば，特許文献１〜３）。一般的な吸収性パッドは，例えば，パルプ層と高吸収性ポリマー（ＳＡＰ）を含む吸収体を，液透過性のトップシートと液不透過性のバックシートによって挟み込むことにより構成されている。このため，使い捨ておむつの内面側に吸収性パッドを重ねて配置することで，おむつの着用者が多量の尿を排泄しても，尿が外部に漏れ出す事態を防止できる。例えば，夜間の就寝中に使い捨ておむつを着用するような場合，長時間に亘っておむつを着用し続けることとなる。このような場合，着用者が就寝中に多量の尿を排泄することも予想されるため，吸収性パッドを併用することで，尿の吸収を補助することができる。
【０００３】
また，吸収性パッドは，排泄物の処理に伴う経済的なコストの軽減や，労力の負担の軽減を目的として使用されることも多い。吸収性パッドを使い捨ておむつに重ねて配置しておくことで，例えば排泄された尿の量が比較的少量の場合には，吸収性パッドのみを交換するだけで尿を処理することができるため，使い捨ておむつの本体の交換費用や交換頻度を減らすことができる。
【先行技術文献】
【特許文献】
【０００４】
【特許文献１】特開２０１１−０１９７３０号公報
【特許文献２】特開２０１０−２２７３８６号公報
【特許文献３】特開２００６−０９５１５６号公報
【発明の概要】
【発明が解決しようとする課題】
【０００５】
ところで，一般的な吸収性パッドは，トップシートとバックシートの間に吸収体を挟み込み，吸収体の周囲の外縁部分においてトップシートとバックシートを互いに接合することにより，吸収体を内包するようにしている。このため，一般的な吸収性パッドは，吸収体の周囲に，トップシートとバックシートの接合代が２０〜４０ｍｍ程度の幅で形成されることとなる。また，近年では，いわゆる砂時計型やひょうたん型の吸収性パッドも普及している。砂時計型やひょうたん型の吸収性パッドは，前身頃側と後身頃側に，股下部分よりも幅広に形成されたサイドフラップを有している。このような砂時計型やひょうたん型の吸収性パッドは，矩形状の吸収性パッドと比較し，液体を吸収可能な面積が広いことから，軟便や水様便の対策として好んで使用する利用者も多い。特に近年では，製品幅が広く製品長が長い大型の吸収パッドが好まれる傾向にある。
【０００６】
他方，上記の吸収性パッドが重ねられる使い捨ておむつは，一般的に，その表面側に立体ギャザーが形成されている。この立体ギャザーは，使い捨ておむつの吸収体の左右両側に起立する機能を有している。ここで，このような立体ギャザーを持つ使い捨ておむつに，上記のような接合代の広い吸収性パッドや，砂時計型又はひょうたん型の吸収性パッドを重ねると，吸収性パッドが，使い捨ておむつの立体ギャザーの間に収まらないこともある。このような場合，利用者は，使い捨ておむつの立体ギャザーを押し潰すようにして吸収性パッドを重ねたり，吸収性パッドの接合代やサイドフラップを折り畳んで，使い捨ておむつの立体ギャザーの間に押し込んだりすることもある。また，吸収性パッドの製品長が，使い捨ておむつの製品長を超えることもある。このような場合，利用者は，使い捨ておむつからはみ出した吸収性パッドの一部を折畳むか，又ははみ出した状態のままで使用を継続することもある。
【０００７】
しかしながら，吸収性パッドによって使い捨ておむつの立体ギャザーを押し潰してしまうと，この立体ギャザーの機能が発揮されなくなるばかりか，吸収性パッドの収まりが悪くなって，吸収パッドに位置ずれが発生する恐れがあった。そこで，吸収性パッドの一部を折り畳んで使い捨ておむつの立体ギャザーの間に押し込むことで，吸収性パッドの収まりが良くなり，また使い捨ておむつの立体ギャザーが起立して防漏壁として機能するため，尿漏れを効果的に防止できる。しかし，吸収性パッドの一部を折り畳んで使い捨ておむつの立体ギャザーの間に一時的に押し込んだとしても，着用している最中に，吸収性パッドの折り畳んだ部分が開いてくる恐れがある。その場合には，着用感が低下したり，吸収性パッドと肌の間に隙間が生じることもあった。また，吸収性パッドの製品長が使い捨ておむつの製品長よりも長いと，吸収性パッドがはみ出してしまい，吸収性パッドによって吸収できなかった尿や便が漏れ出し，衣服を汚してしまう原因の一つとなっていた。
【０００８】
ただし，利用者によっては，吸収性パッドによって使い捨ておむつの立体ギャザーを押し潰すようにして使用することを好む者も存在する。すなわち，大型の吸収性パッドによって使い捨ておむつの立体ギャザーを覆っておくことで，排泄物がこの立体ギャザーに付着することを防止できるため，吸収性パッドを交換すれば，その下に位置する使い捨ておむつは繰り返し使用し続けることができる。また，利用者によっては，前身頃側は，吸収性パッドを使い捨ておむつの立体ギャザーの間に押し込み，後身頃側は，吸収性パッドを使い捨ておむつの立体ギャザーの上に重ねて使用する者も存在している。このように，利用者は，自身の状況に応じて，吸収性パッドと使い捨ておむつを適宜工夫して使用している。
【０００９】
従って，現在は，大型の吸収性パッドであっても，使い捨ておむつの立体ギャザーの間に適切に収めることができ，他方で，この立体ギャザーの上に吸収性パッドを重ねて使用する方法も適宜選択することのできる使い勝手の良い技術が求められているといえる。
【課題を解決するための手段】
【００１０】
そこで，本発明の発明者は，上記課題の解決手段について鋭意検討した結果，サイドフラップが形成された吸収性パッドにおいて，そのサイドフラップの裏面に係合手段を取り付けることで，サイドフラップを折り畳んだ状態を保持し易くなるという知見を得た。すなわち，係合手段を利用して，吸収性パッドの裏面側にサイドフラップを折り畳んだ状態を維持することで，大型の吸収性パッドであっても，使い捨ておむつの立体ギャザーの間に収まり良く収納できるようになる。また，利用者は，サイドフラップを折り畳まないで使用するという選択もできるため，本発明の吸収性パッドは利用者の要求に応じて使い勝手の良いものとなる。そして，本発明者は，上記知見に基づけば，従来の課題を解決できることに想到し，本発明を完成させた。具体的に説明すると，本発明は，以下の構成を有する。
【００１１】
本発明は，例えば使い捨ておむつと併用して用いられる吸収性物品に関する。
本発明の吸収性物品は，その長手方向に，前身頃１と，後身頃２と，これらの間に位置する股下部３とに，長手方向に区分される。
吸収性物品は，股下部３に，幅狭となったくびれ部３０が形成され，前身頃１と後身頃２の両方又はいずれか一方に，くびれ部３０よりも幅広となったサイドフラップ１０，２０が形成されている。
ここで，本発明の吸収性物品は，サイドフラップ１０，２０の裏面に，係合手段４０が取り付けられている。本願明細書において，「裏面」とは，着用時において，着用者の肌に対向しない側の面（肌非対向面）を意味する。
これにより，本発明の吸収性物品は，サイドフラップ１０，２０を裏面側に向かって折り返したときに，係合手段４０が，吸収体の幅方向中央部分の裏面に係合するようになっている。
【００１２】
上記構成のように，サイドフラップ１０，２０の裏面に係合手段４０を取り付けておくことで，このサイドフラップ１０，２０を折り返した状態を固定できるため，吸収性物品を使い捨ておむつの立体ギャザーの間に収め易くなる。また，吸収性物品を使い捨ておむつの立体ギャザーの間に収めることで，この立体ギャザーが起立し，尿漏れを防止する防漏壁として機能する。さらに，吸収性物品のサイドフラップ１０，２０を折り畳んだ状態が保持されるため，着用している最中に，サイドフラップ１０，２０が開いたりヨレたりすることを防止できる。他方で，利用者は，係合手段４０を使用しないという選択をすることもできる。つまり，敢えて係合手段４０を使わずに，吸収性物品を使い捨ておむつの立体ギャザーの上に覆い被せることで，排泄物によって立体ギャザーに汚れが付着することを防ぐこともできる。また，例えば，浣腸や下剤等の服用で軟便・水様便が排泄される可能性の高い場合には，前側のサイドフラップ１０は折り畳んで使い捨ておむつの立体ギャザーの間に収めてずれにくくし，後側のサイドフラップ２０は折り畳まずに幅広のままで使うこともできる。このため，本発明によれば，利用者のニーズに応じた，使い勝手の良い吸収性物品（吸収性パッド）を提供できる。
【００１３】
本発明の吸収性物品は，吸収体５１と，吸収体５１の表面側に位置する液透過性のトップシート５２と，吸収体５１の裏面側に位置する液不透過性のバックシート５３と，を備える。また，吸収性物品は，吸収体５１よりも幅方向外側に延出した左右の延出部５４を有している。なお，この左右の延出部５４は，トップシート５２とバックシート５３の両方によって形成されていてもよいし，いずれか一方によって形成されていてもよいし，別の部材（例えば立体ギャザー用のシート）によって形成されていてもよい。
この場合において，係合手段４０は，サイドフラップ１０，２０を形成する左右の延出部５４の裏面に取り付けられていることが好ましい。
【００１４】
上記構成のように，サイドフラップ１０，２０を形成する左右の延出部５４には，吸収体５１が存在しないこととなる。このような吸収体５１が存在しない部位に係合手段４０を取り付けておくことで，サイドフラップ１０，２０を裏面側に向かって折り畳みやすくなる。
【００１５】
本発明の吸収性物品は，さらに，一対の立体ギャザー５５を備えることが好ましい。また，一対の立体ギャザー５５は，それぞれ，サイドフラップ１０，２０を形成する左右の延出部５４に固定部分を有し，当該固定部分よりも幅方向内側の自由部分が起立する構造となっていることが好ましい。
【００１６】
上記構成のように，吸収性物品に立体ギャザー５５を形成することで，さらに漏れ防止効果が高まる。また，立体ギャザー５５の一部を，サイドフラップ１０，２０を形成する左右の延出部５４に固定することで，延出部５４の裏面にある係合手段４０を利用してサイドフラップ１０，２０を折り畳んだときに，立体ギャザー５５の自由部分が外側に開きやすくなる。従って，サイドフラップ１０，２０を折り畳んだ吸収性物品を，使い捨ておむつ上に配置したときであっても，この吸収性物品の立体ギャザー５５がきちんと機能するようになる。
【００１７】
本発明の吸収性物品において，サイドフラップ１０，２０の裏面には，係合手段４０が長手方向に間隔をおいて複数個取り付けられていることとしてもよい。
【００１８】
上記のように，サイドフラップ１０，２０に複数個の係合手段４０を取り付けることで，利用者が適切な係合手段４０を選択して，使用することができる。
【００１９】
本発明の吸収性物品において，係合手段４０は粘着テープであり，この係合手段４０の粘着面は剥離シート４１によって被覆されていることとしてもよい。この場合，剥離シート４１は，幅方向に沿って切断可能線４２が形成されていることが好ましい。
【００２０】
上記のように，係合手段４０（粘着テープ）の粘着面を覆う剥離シート４１に，ミシン目線やスリットなどの切断可能線４２を形成することで，利用者が，必要な分だけ剥離シート４１を剥がして，係合手段４０を利用できるようになる。すなわち，利用者は，状況に応じてより必要な部位のみを選択して折り返すことができるものとなり，剥離シート４１を大きく剥がすほど，より折り返しを大きくすることができる。
【００２１】
本発明の吸収性物品は，吸収体５１よりも長手方向外側に延出した前後の延出部５６を有している。なお，この前後の延出部５６は，トップシート５２とバックシート５３の両方によって形成されていてもよいし，いずれか一方によって形成されていてもよい。
この場合に，前後の延出部５６の裏面に，係合手段４０が取り付けられていることとしてもよい。
【００２２】
上記構成のように，前後の延出部５６に係合手段４０を取り付けておくことで，例えば，吸収性物品の長さが使い捨ておむつよりも長い場合であっても，使い捨ておむつの上に収まるように，その吸収性物品の長さを調節することが可能となる。これにより，吸収性物品の長さが使い捨ておむつからはみ出して，尿漏れを発生させるような事態を防止できる。
【００２３】
本発明の吸収性物品において，サイドフラップ１０，２０には，トップシート５２とバックシート５３の間に，吸収体５１から幅方向に離間したサブ吸収体５８が配置されていてもよい。
【００２４】
上記構成のように，吸収性物品のサイドフラップ１０，２０にも吸収体が介在していることとしてもよい。この場合に，サイドフラップ１０，２０には，吸収体５１（本体）から幅方向に離間したサブ吸収体５８であることが好ましい。これにより，サイドフラップ１０，２０を，吸収体５１（本体）とサブ吸収体５８の間を折れ目として，裏面側に向かって折り返しやすくなる。
【発明の効果】
【００２５】
本発明の吸収性物品は，製品幅や製品長が大きい大型のものであっても，使い捨ておむつの立体ギャザーの間に適切に収めることができ，他方で，この立体ギャザーの上に吸収性パッドを重ねて使用する方法も適宜選択することができる。従って，本発明によれば，使い勝手の良い吸収性物品を提供することができる。
【図面の簡単な説明】
【００２６】
【図１】図１は，本発明の一実施形態に係る吸収性物品を示した平面図である。図１（ａ）は，吸収性物品を表面側から見た状態を示しており，図１（ｂ）は，吸収性物品を裏面側から見た状態を示している。
【図２】図２は，吸収性物品のサイドフラップの一部を裏面側に折り返した状態を示している。図２（ａ）は，吸収性物品を裏面側から見た状態を示しており，図２（ｂ）は，図２（ａ）のＡ−Ａ線の断面図を示している。
【図３】図３は，吸収性物品（吸収性パッド）を使い捨ておむつに重ねた状態の例を示している。図３（ａ）は，吸収性物品と使い捨ておむつを表面側から見た状態を示しており，図３（ｂ）は，図３（ａ）のＢ−Ｂ線の断面図を示している。
【図４】図４は，他の実施形態に係る吸収性物品を示している。
【図５】図５は，他の実施形態に係る吸収性物品を示している。
【図６】図６は，他の実施形態に係る吸収性物品を示している。
【図７】図７は，他の実施形態に係る吸収性物品を示している。
【発明を実施するための形態】
【００２７】
以下，図面を用いて本発明を実施するための形態について説明する。本発明は，以下に説明する形態に限定されるものではなく，以下の形態から当業者が自明な範囲で適宜修正したものも含む。
本願明細書において，「Ａ〜Ｂ」とは，「Ａ以上Ｂ以下」であることを意味する。
また，本願明細書において，「長手方向」というときは，基本的に，使い捨ておむつの前身頃と後身頃を結ぶ方向を意味し，「幅方向」というときは，長手方向と平面的に直交する方向を意味する。
【００２８】
図１は，本発明の一実施形態に係る吸収性物品１００（吸収性パッド）を示した平面図である。図１（ａ）は，吸収性物品１００を表面（肌対向面）側から見た平面図であり，図１（ｂ）は，吸収性物品１００を裏面（肌非対向面）側から見た平面図である。
【００２９】
図１に示されるように，本実施形態に係る吸収性物品１００は，ひょうたん型若しくは砂時計型と表現することのできる形状となっている。具体的に説明すると，吸収性物品１００は，長手方向に，前身頃１と，後身頃２と，股下部３とに区分される。前身頃１は，着用者の腹部に接する側であり，後身頃２は，着用者の背部に接する側である。股下部３は，前身頃１と後身頃２の間に位置し，着用者の股下（両脚部の付け根の間）に当てがわれる部分である。ここで，図１に示されるように，吸収性物品１００は，前身頃１と後身頃２の横幅（幅方向の長さ）が，股下部３の横幅よりも，幅広に形成されている。すなわち，股下部３には，吸収性物品１００の横幅が最も狭くなった部位であるくびれ部３０が存在する。他方で，前身頃１と後身頃２には，股下部３に存在するくびれ部３０よりも幅方向の左右外側に延出する部位であるサイドフラップ１０，２０が存在する。つまり，サイドフラップ１０，２０が形成された部分において，前身頃１と後身頃２の横幅は，股下部３のくびれ部３０における横幅よりも広く形成されることとなる。本願明細書では，このようなサイドフラップ１０，２０が前身頃１と後身頃２の両方に形成された形状を，ひょうたん型若しくは砂時計型と表現している。なお，本発明の吸収性物品１００は，サイドフラップ１０，２０が前身頃１と後身頃２の両方に形成された形状に限定されるものではなく，サイドフラップ１０，２０は，前身頃１と後身頃２の少なくともいずれか一方に形成されていればよい。
【００３０】
図１に示されるように，吸収性物品１００は，基本的に，吸収体５１と，液透過性のトップシート５２と，液不透過性のバックシート５３とを含む。図１（ａ）に示されるように，トップシート５２は，吸収体５１の表面側を被覆する。他方，図１（ｂ）に示されるように，バックシート５３は，吸収体５１の裏面側を被覆する。
【００３１】
具体的に説明すると，吸収体５１は，尿などの液体を吸収し，吸収した液体を保持するための部材である。吸収体５１は，トップシート５２とバックシート５３の間に内包されている。吸収体５１は，トップシート５２を透過した液体を吸収する機能を有する吸収性材料により構成される。吸収体５１を構成する吸収性材料には，公知の材料を採用することができる。吸収性材料としては，例えば，フラッフパルプ，高吸水性ポリマー（ＳＡＰ），又は親水性シートを用いることとしてもよい。また，吸収性材料には，フラッフパルプ，高吸収性ポリマー，又は親水性シートのうち１種類を単独で用いてもよいし，２種類以上を併用することとしてもよい。吸収性材料は，通常，単層又は複数層のマット状に形成され，用いられる。吸収体５１の形状は，適宜，吸収性物品１００の形状や，大きさ，用途に合せて設計することができる。例えば，吸収体５１の形状は，図１に示されるように，砂時計型やひょうたん型としてもよいし，矩形型や楕円形型であってもよい。
【００３２】
トップシート５２は，着用者の股下部の肌に直接接し，尿などの液体を吸収体５１へ透過させるための部材である。このため，トップシート５２は，柔軟性が高い液透過性材料で構成される。トップシート５２を構成する不透過性材料の例は，織布，不織布，又は多孔性フィルムである。また，例えばポリプロピレンやポリエチレン，ポリエステル，ナイロンのような熱可塑性樹脂の繊維を親水化処理してさらに不織布にしたものを用いることとしてもよい。
【００３３】
バックシート５３は，トップシート５２を透過し吸収体５１に吸収された液体が，おむつの外部へ漏出することを防止するための部材である。このため，バックシート５３は，液不透過性材料によって構成される。バックシート５３を構成する不透過材料の例は，ポリエチレン樹脂からなる液不透過性のフィルムである。特に，０．１〜４μｍの微細な孔が複数形成された微多孔性ポリエチレンフィルムを用いることが好ましい。
【００３４】
ここで，本発明の吸収性物品１００は，吸収体５１の周囲において，この吸収体５１の外縁よりも外側に延出した部分（５４，５６）を有している。少なくとも，吸収性物品１００は，吸収体５１の外縁よりも幅方向外側に延出した左右の延出部５４と，吸収体５１の外縁よりも長手方向外側に延出した前後の延出部５６と，を有している。具体的には，トップシート５２とバックシート５３は，吸収体５１の周囲に延出し，その延出部（５４，５６）において互いに接合されている。これにより，吸収体５１は，トップシート５２とバックシート５３によって周囲を囲われて，これらのシート５２，５３の間に封入された状態となっている。
【００３５】
このように，本実施形態では，トップシート５２とバックシート５３が吸収体５１よりも幅方向の外側に延出した左右の延出部５４によって，上記したサイドフラップ１０，２０が形成されている。つまり，本実施形態において，サイドフラップ１０，２０には，吸収体５１が介在していないこととなる。ただし，本発明は，サイドフラップ１０，２０の一部に，吸収体５１の一部が介在していても問題はない。
【００３６】
また，図１（ａ）に示されるように，本実施形態において，吸収性物品１００は，吸収体５１の幅方向左右両側に，一対の立体ギャザー５５を有している。立体ギャザー５５は，吸収体５１の両側縁部に沿って起立し，着用者が排泄した尿の横漏れを防止するための部材である。立体ギャザー５５のそれぞれは，通気性及び疎水性を有するサイドシート５５ａと，一又は複数の立体ギャザー伸縮部材５５ｂを有する。サイドシート５５ａは，前身頃１側と後身頃２側の両端が吸収性物品１００の表面に固定されおり，長手方向の中央部分が，吸収性物品１００の表面から浮いた自由状態となっている。また，立体ギャザー伸縮部材５５ｂは，サイドシート５５ａの幅方向内側の先端部分に，長手方向に沿った伸長状態で固定されている。従って，立体ギャザー伸縮部材５５ｂが収縮すると，サイドシート５５ａの自由部分が着用者の肌に当接する方向に向かって立ち上がる。このため，一対の立体ギャザー５５は，尿の防漏壁となり，トップシート５２を透過しなかった尿や，吸収体５１により吸収しきれなった尿が，外部に漏出することを防止する。
【００３７】
その他，吸収性物品１００は，股下部３に，一又は複数のレッグ伸縮部材５７を有していてもよい。レッグ伸縮部材５７は，トップシート５２，バックシート５３，サイドシート５５ａのうち，いずれか２層のシート部材の間に伸長状態で固定されている。レッグ伸縮部材５７が収縮すると，その部分にレッグギャザーが形成される。
【００３８】
ここで，図１（ｂ）に示されるように，吸収性物品１００は，その裏面に，係合手段４０を有している。係合手段４０は，前身頃１側に形成されたサイドフラップ１０の裏面と，後身頃２側に形成されたサイドフラップ２０の裏面とに，それぞれ取り付けられている。
【００３９】
係合手段４０は，サイドフラップ１０，２０を裏面側に向かって折り返したときに，吸収性物品１００の裏面に係合する部材で構成されている。このため，係合手段４０を吸収性物品１００の裏面に係合させることで，サイドフラップ１０，２０を折り返した状態を保持することができる。係合手段４０は，例えば，粘着テープや面ファスナーによって構成することができる。例えば，係合手段４０が粘着テープである場合，その粘着面には剥離シートを取り付けておくことが好ましい。また，係合手段４０が面ファスナーのオス部材である場合，サイドフラップ１０，２０を折り返したときに，係合手段４０に接する吸収性物品１００の裏面の対応箇所には，面ファスナーのメス部材を取り付けておくことができる。例えば，面ファスナーのメス部材は，吸収性物品１００の裏面であって，この吸収性物品１００に含まれる吸収体５１と重なる位置に設けられていることが好ましい。
【００４０】
具体的には，図２に，係合手段４０を有する吸収性物品１００の使用例が示されている。図２（ａ）は，吸収性物品１００を裏面側から見た状態を示す平面図である。図２（ａ）では，係合手段４０が粘着テープである場合の例を示している。また，図２（ｂ）は，図１で示したＡ−Ａ線における断面図を示している。
【００４１】
図２（ａ）及び図２（ｂ）に示されるように，係合手段４０（粘着テープ）の粘着面は，剥離シート４１で被覆されている。剥離シート４１を剥がすことで，係合手段４０の粘着面が露出する。その後，サイドフラップ１０，２０を裏面側に向かって折り返すことで，このサイドフラップ１０，２０に取り付けられた係合手段４０が，吸収性物品１００の幅方向中央部分の裏面に係合（接着）する。特に，サイドフラップ１０，２０を折り返したときに，係合手段４０は，吸収性物品１００に含まれる吸収体５１と重なる位置に係合（接着）することが好ましい。これにより，サイドフラップ１０，２０が吸収性物品１００の裏面に隠れるようになり，吸収性物品１００の前身頃１若しくは後身頃２の横幅が実質的に縮小する。特に，吸収体５１にはある程度の厚みがあるため，係合手段４０が吸収体５１の裏面に重なるように係合することで，サイドフラップ１０，２０を折り曲げた状態であっても，着用者に違和感を与えにくくなる。また，サイドフラップ１０，２０に係合手段４０が取り付けられていることで，サイドフラップ１０，２０が折り畳まれた状態が固定して保持される。このため，サイドフラップ１０，２０を折り畳んだ状態を長時間維持することが可能となる。
【００４２】
さらに具体的に説明すると，図１及び図２に示されるように，前身頃１と後身頃２のサイドフラップ１０，２０には，吸収体５１が介在していないことが好ましい。そして，係合手段４０は，吸収体５１が介在していないサイドフラップ１０，２０の裏面に，取り付けられていることが好ましい。つまり，サイドフラップ１０，２０に吸収体５１が存在すると，この吸収体５１の厚みによって，サイドフラップ１０，２０を折り返しにくくなる。このため，吸収体５１が介在していないサイドフラップ１０，２０の裏面に係合手段４０を取り付けておくことで，サイドフラップ１０，２０を折り返し易くなり，結果として，吸収性物品１００の横幅を調節し易くなる。
【００４３】
また，図２（ｂ）に示されるように，立体ギャザー５５のサイドシート５５ａは，サイドフラップ１０，２０を形成する左右の延出部５４上に固定部分５５ｃを有し，当該固定部分５５ｃよりも幅方向内側の自由部分５５ｄが起立するものであることが好ましい。すなわち，図２（ｂ）に示されるように，立体ギャザー５５のサイドシート５５ａは，サイドフラップ１０，２０上に固定部分５５ｃが形成されている。このため，サイドフラップ１０，２０を折り返すと，サイドシート５５ａの固定部分５５ｃも共に折り返される。そうすると，図２（ｂ）に示されるように，折り返された側（図中右側）と折り返されていない側（図中左側）を比較すると，折り返された側の立体ギャザー５５の方が，幅方向外側に向かって開くようになる。これにより，サイドフラップ１０，２０を折り返したときに，立体ギャザー５５が開き易くなり，立体ギャザー５５の間に排泄物を収め易くなる。
【００４４】
図３は，一般的な使い捨ておむつ２００と，本発明に係る吸収性物品１００を併用した状態の一例を示している。図３（ａ）は，使い捨ておむつ２００と吸収性物品１００の併用状態を表面側から見た平面図である。また，図３（ｂ）は，図３（ａ）に示したＢ−Ｂ線における断面図を示している。本発明の吸収性物品１００を重ねる使い捨ておむつ２００は，公知のものを用いればよい。使い捨ておむつ２００は，テープ型であってもよいしパンツ型であってもよい，図３では，テープ型の使い捨ておむつ２００を例に挙げて示している。一般的な使い捨ておむつ２００は，左右の立体ギャザー２５５を有する。
【００４５】
図３に示すように，吸収性物品１００を使い捨ておむつ２００に重ねて使用するときに，吸収性物品１００全体の横幅が，使い捨ておむつ２００の立体ギャザー２５５の間の幅よりも長くなることがある。この場合，そのままでの状態では，吸収性物品１００を使い捨ておむつ２００の立体ギャザー２５５の間に収めることができない場合がある。このような場合，図３（ａ）及び図３（ｂ）に示すように，吸収性物品１００のサイドフラップ１０，２０を裏面側に折り曲げて，係合手段４０を介して，吸収性物品１００の裏面に係合させておけばよい。これにより，吸収性物品１００の横幅を狭めるように調節することができる。その結果，吸収性物品１００を，使い捨ておむつ２００の立体ギャザー２５５の間に適切に収めることが可能となる。また，吸収性物品１００のサイドフラップ１０，２０は，係合手段４０によって折り畳まれた状態が保持されているため，着用者によって着用されている最中であっても開いてしまうことがない。従って，吸収性物品１００を使い捨ておむつ２００の中に収めた状態を長時間維持することができる。
【００４６】
他方で，利用者は，係合手段４０を使用しないという選択をすることもできる。つまり，敢えて係合手段４０を使わずに，吸収性物品１００を使い捨ておむつ２００の立体ギャザー２５５の上に覆い被せることで，排泄物によって立体ギャザー２５５に汚れが付着することを防ぐこともできる。また，浣腸や下剤等の服用で軟便・水様便が排泄される可能性の高い場合は，前側のサイドフラップ１０は折り畳んで使い捨ておむつ２００の立体ギャザー２５５の間に収めてずれにくくし，後側のサイドフラップ２０は折り畳まずに幅広のままで使うこともできる。このように，本発明によれば，利用者のニーズに応じて様々な使い方をするこのできる使い勝手の良い吸収性物品１００を提供できる。
【００４７】
図４は，他の実施形態に係る吸収性物品１００を裏面側から見た状態を示した平面図である。図４に示された実施形態において，係合手段４０は，複数に分割されて，サイドフラップ１０，２０の裏面に取り付けられている。すなわち，それぞれのサイドフラップ１０，２０には，複数の係合手段４０が取り付けられており，複数の係合手段４０は長手方向に離間した状態で配置されている。例えば，各サイドフラップ１０，２０に取り付ける係合手段４０の数は，２個以上であることが好ましく，２〜６個，３〜５個であってもよい。また，図４に示すように，複数の係合手段４０は長手方向に一列に並ぶものであってもよいし，二列以上で並んでいてもよい。複数の係合手段４０は，千鳥状に配置されていてもよい。
【００４８】
図４に示されるように，複数の係合手段４０を設ける形態において，各係合手段４０が粘着テープである場合には，それぞれの係合手段４０の粘着面には剥離シート４１（図２参照）を取り付けておくことが好ましい。これにより，利用者は，サイドフラップ１０，２０を折り返すときに，適宜必要な分だけ剥離シート４１を剥がし，係合手段４０（粘着テープ）の粘着面を露出させることができる。粘着面を露出させる係合手段４０の数を調節可能とすることで，サイドフラップ１０，２０の折り曲げ幅や折り曲げの大きさを調節することができるため，利用者の細かい要望に応じることが可能となる。
【００４９】
図５は，さらに別の実施形態に係る吸収性物品１００を裏面側から見た状態を示した平面図である。図５に示された実施形態において，係合手段４０は粘着テープで構成されており，その粘着面には，複数に分割可能な剥離シート４１が取り付けられている。具体的には，剥離シート４１には，幅方向に沿って延びる切断可能線４２が，一又は複数箇所に形成されている。切断可能線４２は，スリットであってもよいし，ミシン目線であってもよい。
【００５０】
図５に示されるように，係合手段４０が粘着テープである場合において，その粘着面に取り付ける剥離シート４１を分割可能とすることで，利用者は，粘着テープの粘着面を露出させる面積を調節することができる。粘着面を露出させる面積を調節可能とすることで，サイドフラップ１０，２０の折り曲げ幅や折り曲げの大きさを調節することができるため，利用者の細かい要望に応じることが可能となる。
【００５１】
図６は，さらに別の実施形態に係る吸収性物品１００を裏面側から見た状態を示す平面図である。図６に示した実施形態では，吸収体５１の外縁よりも長手方向外側に延出する前後の延出部５６が比較的広く形成されている。このような場合，吸収性物品１００を使い捨ておむつに重ねて配置しようとしたときに，吸収性物品１００の前後の延出部５６が，使い捨ておむつの長手方向の端縁からはみ出してしまうこともある。このように，吸収性物品１００が使い捨ておむつからはみ出す状態は，尿漏れを発生させる原因となり得るため好ましくない。そこで，図６に示した実施形態では，吸収性物品１００の前後の延出部５６の裏面に，上記と同様の係合手段４０を設けている。
【００５２】
図６に示された実施形態のように，前後の延出部５６にも係合手段４０を設けることで，この前後の延出部５６を折り返したときに，係合手段４０が吸収性物品１００の裏面に係合する。これにより，前後の延出部５６を折り返した状態を保持することができる。その結果，吸収性物品１００の長手方向の長さを適宜調節することが可能となる。特に，吸収性本体１００（吸収性パッド）には様々なサイズのものがあり，また，使い捨ておむつにも様々なサイズのものが存在する。このとき，吸収性本体１００（吸収性パッド）が使い捨ておむつからはみ出さないように，適切なサイズものを組み合わせることが難しいこともある。特に，病院や介護施設では，多種多様な吸収性本体１００（吸収性パッド）と使い捨ておむつが備えられていることもある。このような場合において，吸収性物品１００の長手方向の長さを，係合手段４０を介して調節することができれば非常に便利なものとなる。
【００５３】
なお，図６では，前後の延出部５６に係合手段４０を設けるとともに，左右の延出部５４にも係合手段４０を設けた例を示している。ただし，前後の延出部５６に係合手段４０を設け，左右の延出部５４には係合手段４０を設けないとすることも可能である
【００５４】
図７は，さらに別の実施形態を示している。図７に示されるように，吸収性物品１００は，主たる吸収体５１とは別に，サイドフラップ１０，２０にサブ吸収体５８を有していてもよい。サブ吸収体５８は，主たる吸収体５１と同様の吸収性部材で形成できる。サブ吸収体５８は，主たる吸収体５１から幅方向に離間した状態で，サイドフラップ１０，２０に介在している。つまり，サブ吸収体５８と主たる吸収体５１の間には，長手方向に沿って延びる間隙が形成されている。本実施形態では，例えば，トップシート５２とバックシート５３をサイドフラップ１０，２０にまで延在させて，これらのシート５２，５３の間にサブ吸収体５８を封入すればよい。また，主たる吸収体５１とサブ吸収体５８の間は，空間的に繋がっておらず，トップシート５２とバックシート５３が互いに接合されていることが好ましい。この実施形態においても，サイドフラップ１０，２０の裏面には，係合手段４０が取付けられる。特に，本実施形態において，係合手段４０は，サブ吸収体５８と重なる位置に取り付けられていることが好ましい。
【００５５】
このように，サイドフラップ１０，２０にサブ吸収体５８を設けることで，サイドフラップ１０，２０を折り畳まない状態においては，サブ吸収体５８によって，主たる吸収体５１の横から漏れ出した尿を効果的に吸収できる。従って，尿漏れ防止効果が高まる。他方，必要に応じてサイドフラップ１０，２０を折り畳むときであっても，主たる吸収体５１とサブ吸収体５８の間には間隙が形成されておるため，この間隙を折れ目として，簡単に折り畳むことができる。また，サイドフラップ１０，２０の裏面には係合手段４０が取り付けられているため，サイドフラップ１０，２０を折り畳んだ状態を維持することができる。
【００５６】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００５７】
本発明は，使い捨ておむつなどと併用して用いられる吸収性物品に関する。従って，本発明は，吸収性物品等の製造業において好適に利用することができる。
【符号の説明】
【００５８】
１…前身頃                    ２…後身頃                  ３…股下部
１０…前側のサイドフラップ    ２０…後側のサイドフラップ  ３０…くびれ部
４０…係合手段                ４１…剥離シート            ４２…切断可能線
５１…吸収体                  ５２…トップシート          ５３…バックシート
５４…左右の延出部            ５５…立体ギャザー          ５５ａ…サイドシート
５５ｂ…立体ギャザー伸縮部材  ５５ｃ…固定部分            ５５ｄ…自由部分
５６…前後の延出部            ５７…レッグ伸縮部材        ５８…サブ吸収体
１００…吸収性物品            ２００…使い捨ておむつ
【図１】
2015173819.tif 000003
【図２】
2015173819.tif 000004
【図３】
2015173819.tif 000005
【図４】
2015173819.tif 000006
【図５】
2015173819.tif 000007
【図６】
2015173819.tif 000008
【図７】
2015173819.tif 000009